(57)【要約】【課題】撥水防汚層が形成されるとともに被装着部と水密的に接合することが可能なレンズカバーなどの光学物品を提供する。【解決手段】光学物品としてのカバー部材２０は、光透過性を有する基板１１、反射防止層１２、撥水防汚層１３、および光透過防止層１４によって構成されている。基板１１の表面１１ａには反射防止層１２が形成されている。反射防止層１２の上面には、撥水防汚層１３が形成されている。基板１１の表面１１ａと表裏の関係をなす装着面１１ｂには、中央部に略円形の貫通孔１８が設けられた光透過防止層１４が形成されている。【選択図】図２
2008044133.tif 000002
【特許請求の範囲】
【請求項１】
光透過性を有する基板と、
前記基板の一面に形成された撥水防汚層と、
前記一面と表裏の関係をなす前記基板の他面に防曇層を有していることを特徴とする光
学物品。
【請求項２】
請求項１に記載の光学物品において、
前記撥水防汚層が前記一面の全面に形成され、前記防曇層が前記他面の一部に形成され
ていることを特徴とする光学物品。
【請求項３】
請求項１に記載の光学物品において、
前記基板の光透過部分を囲むように前記他面に形成された光透過防止層を有しているこ
とを特徴とする光学物品。
【請求項４】
請求項１ないし請求項３のいずれか一項に記載の光学物品において、
前記撥水防汚層は、含フッ素シラン化合物を含有する被膜であることを特徴とする光学
物品。
【請求項５】
請求項４に記載の光学物品において、
前記含フッ素シラン化合物が、下記一般式（１）で表されることを特徴とする光学物品
。
【化１】
2008044133.tif 000006
（但し、式中、Ｒfは炭素数１〜１６の直鎖状または分岐状パーフルオロアルキル基、
Ｘはヨウ素または水素、Ｙは水素または低級アルキル基、Ｚはフッ素またはトリフルオロ
メチル基、Ｒ1は加水分解可能な基、Ｒ2は水素または不活性な一価の有機基、ａ、ｂ、ｃ
、ｄは０〜２００の整数、ｅは０または１、ｍおよびｎは０〜２の整数、ｐは１〜１０の
整数を表す。）
【請求項６】
請求項１ないし請求項５のいずれか一項に記載の光学物品において、
前記撥水防汚層の下層に反射防止層が形成されていることを特徴とする光学物品。
【請求項７】
構成された光学系に請求項１ないし請求項６のいずれか一項に記載の光学物品が搭載さ
れていることを特徴とする撮像機器。
【請求項８】
表示部に請求項１ないし請求項６のいずれか一項に記載の光学物品が搭載されているこ
とを特徴とする電子機器。
【請求項９】
計時表示部に請求項１ないし請求項６のいずれか一項に記載の光学物品が搭載されてい
ることを特徴とする計時機器。
【発明の詳細な説明】
【技術分野】
【０００１】
本発明は、光透過性を有する基板面に撥水防汚層が形成された光学物品、およびそれを
備えた撮像機器、電子機器、ならびに計時機器に関する。
【背景技術】
【０００２】
レンズなどの光学物品を使用するに際し、手垢、指紋、汗、化粧料等の付着による汚れ
が目立ちやすく、またその汚れが取れ難い。そこで、汚れ難く、あるいは汚れを拭き取り
やすくするために、その表裏面に撥水、防汚などの機能膜を撥水防汚層として設けること
が行われている（例えば、特許文献１、特許文献２参照）。
また、特に屋外にて使用されることの多いデジタルスチールカメラ、防犯カメラなどは
、光学系レンズなどへの雨滴などが付着すると、撮影された画像に雨滴が写り込んでしま
うという不具合の生じる恐れがあった。この雨滴の付着を防止するため、撥水防汚層が表
面に形成されたレンズカバーなどの光学物品が外表面となるように水密的に装着された構
成が用いられている。
【０００３】
【特許文献１】特開２００６−１２６７８２号公報
【特許文献２】特開２００３−２３８５７７号公報
【発明の開示】
【発明が解決しようとする課題】
【０００４】
しかしながら、前述のレンズカバーの装着に用いられる接着剤などの接合剤は、レンズ
カバーの表裏面に撥水防汚層が形成されていると、その撥水防汚層にはじかれてしまうた
め水密的に接合し装着することが困難であるという問題を有していた。
【０００５】
本発明は、上記の問題に鑑みてなされたものであり、撥水防汚層が形成されるとともに
被装着部と水密的に接合することが可能なレンズカバーなどの光学物品を提供することを
目的とする。
【課題を解決するための手段】
【０００６】
本発明の光学物品は、光透過性を有する基板と、前記基板の一面に形成された撥水防汚
層と、前記一面と表裏の関係をなす前記基板の他面に防曇層を有していることを特徴とす
る。
【０００７】
本発明の光学物品によれば、光透過性を有する基板の一面に形成された撥水防汚層によ
って、付着した水や水滴などが除去され、さらに、基板の他面に形成された防曇層により
基板の曇りを防止することが可能となる。これらにより、水や水滴或いは曇りなどによる
光の透過の阻害を防止することが可能となる。
【０００８】
また、前記撥水防汚層が前記一面の全面に形成され、前記防曇層が前記他面の一部に形
成されていることが望ましい。
【０００９】
このようにすれば、防曇層が前記他面の一部に形成されていることから、防曇層の形成
されていない部分で光学物品を装着することが可能となる。これにより、光学物品が装着
される被装着部との接合が確実に行われ、高い水密性を得ることが可能となる。
【００１０】
また、前記基板の光透過部分を囲むように前記他面に形成された光透過防止層を有して
いることが望ましい。
【００１１】
このようにすれば、基板の光透過部分を囲むように装着面に光透過防止層が形成されて
いるため、光学物品の装着部が表面から視認できないため、見栄えを向上させることが可
能となる。
【００１２】
また、前記撥水防汚層は、含フッ素シラン化合物を含有する被膜であることが望ましい
。
【００１３】
また、前記含フッ素シラン化合物が、下記一般式（１）で表されることとしてもよい。
【００１４】
【化１】
2008044133.tif 000003
（但し、式中、Ｒfは炭素数１〜１６の直鎖状または分岐状パーフルオロアルキル基、
Ｘはヨウ素または水素、Ｙは水素または低級アルキル基、Ｚはフッ素またはトリフルオロ
メチル基、Ｒ1は加水分解可能な基、Ｒ2は水素または不活性な一価の有機基、ａ、ｂ、ｃ
、ｄは０〜２００の整数、ｅは０または１、ｍおよびｎは０〜２の整数、ｐは１〜１０の
整数を表す。）
【００１５】
これらのようにすれば、従来より撥水防汚性を著しく向上させた防汚性光学物品の製造
が可能となる。
【００１６】
また、前記撥水防汚層の下層に反射防止層が形成されていることとしてもよい。
【００１７】
このようにすれば、季節変動、気候変動などによる雰囲気の湿度変化の影響を受けずに
、安定した性能で、かつ、耐久性を大きく向上させた撥水防汚層の形成が可能となる。
【００１８】
また、本発明の撮像機器は、構成された光学系に前述の光学物品が搭載されていること
を特徴とする。
【００１９】
本発明の撮像機器によれば、搭載された光学物品によって、高い撥水防汚性により付着
した水や水滴などが除去されるため、水や水滴などの写り込みを防止すると共にレンズな
どの光学系への水密性も確保できた撮像機器を提供することができる。
【００２０】
また、本発明の電子機器は、表示部に前述の光学物品が搭載されていることを特徴とす
る。
【００２１】
本発明の電子機器によれば、搭載された光学物品によって、高い撥水防汚性により付着
した水や水滴などが除去されるため、水や水滴などに邪魔されず表示部の画像を視認する
ことが可能となると共に表示部の水密性も確保できた電子機器を提供することができる。
【００２２】
また、本発明の計時機器は、計時表示部に前述の光学物品が搭載されていることを特徴
とする。
【００２３】
本発明の計時機器によれば、搭載された光学物品によって、高い撥水防汚性により付着
した水や水滴などが除去されるため、水や水滴などに邪魔されず計時表示部を視認するこ
とが可能となると共に計時表示部の水密性も確保できた計時機器を提供することができる
。
【発明を実施するための最良の形態】
【００２４】
以下、本発明による光学物品の実施形態について図面を用いて説明する。本実施形態で
は、レンズなどの光学系、視認部、或いは計時部などを保護するカバー部材を、本発明の
光学物品の一例として用いて説明する。図１は、カバー部材の第一実施形態の概略構造を
示す正断面図である。図２は、カバー部材の第二実施形態の概略構造を示す図であり、（
ａ）は正断面図、（ｂ）は底面図である。図３は、カバー部材の第三実施形態の概略構造
を示す正断面図である。
（第一実施形態）
【００２５】
図１に示すように、第一実施形態としてのカバー部材１０は、光透過性を有する基板１
１、反射防止層１２、撥水防汚層１３によって構成されている。
【００２６】
基板１１は、光を透過することができるように形成された無機ガラスが用いられている
。なお、基板１１としては、光を透過することができるプラスチックでも差し支えない。
プラスチックとしては、ジエチレングリコールビスアリルカーボネート（ＣＲ−３９）樹
脂、ポリウレタン樹脂、チオウレタン樹脂、ポリカーボネート樹脂、アクリル樹脂等を挙
げることができる。基板１１としてプラスチックを採用した場合は、傷防止のため、ハー
ドコート膜があってもよい。
【００２７】
基板１１の表面１１ａには反射防止層１２が形成されている。ここで、反射防止層１２
の詳細を説明する。反射防止層１２は、無機被膜、有機被膜の単層または多層で構成され
ている。無機被膜の材質としては、ＳｉＯ2、ＳｉＯ、ＺｒＯ2、ＴｉＯ2、ＴｉＯ、Ｔｉ2
Ｏ3、Ｔｉ2Ｏ5、Ａｌ2Ｏ3、Ｔａ2Ｏ5、ＣｅＯ2、ＭｇＯ、Ｙ2Ｏ3、ＳｎＯ2、ＭｇＦ2、Ｗ
Ｏ3等の無機物が挙げられ、これらを単独でまたは２種以上を併用して用いることができ
る。なお、基板１１がプラスチック基板の場合は、低温で真空蒸着が可能なＳｉＯ2、Ｚ
ｒＯ2、ＴｉＯ2、Ｔａ2Ｏ5が好ましい。また、多層膜構成とした場合は、最外層はＳｉＯ
2とすることが好ましい。
【００２８】
無機被膜の多層膜としては、基板側からＺｒＯ2層とＳｉＯ2層の合計光学膜厚がλ／４
，ＺｒＯ2層の光学的膜厚がλ／４、最上層のＳｉＯ2層の光学的膜厚がλ／４の４層構造
を例示することができる。ここで、λは設計波長であり、通常５２０ｎｍが用いられる。
【００２９】
無機被膜の成膜方法は、例えば真空蒸着法、イオンプレーティング法、スパッタリング
法、ＣＶＤ法、飽和溶液中での化学反応により析出させる方法等を採用することができる
。
【００３０】
有機被膜の材質は、ガラス基板やプラスチック基板とハードコート膜の屈折率を考慮し
て選定され、真空蒸着法の他、スピンコート法、ディップコート法などの量産性に優れた
塗布方法で成膜することができる。
【００３１】
反射防止層１２の上面には、撥水防汚層１３が形成されている。撥水防汚層１３の形成
は、次の一般式（１）で表される含フッ素シラン化合物を用いることが好ましい。
【００３２】
【化２】
2008044133.tif 000004
一般式（１）中のＲfは炭素数１〜１６の直鎖状または分岐状パーフルオロアルキル基
であるが、好ましくはＣＦ3−，Ｃ2Ｆ5−，Ｃ3Ｆ7−である。Ｒ1は加水分解可能な基であ
り、例えばハロゲン、−ＯＲ3、−ＯＣＯＲ3、−ＯＣ（Ｒ3）＝Ｃ（Ｒ4）2、−ＯＮ＝Ｃ
（Ｒ3）2、−ＯＮ＝ＣＲ5が好ましい。さらに好ましくは、塩素、−ＯＣＨ3、−ＯＣ2Ｈ5
である。ここで、Ｒ3は脂肪族炭化水素基または芳香族炭化水素基、Ｒ4は水素または低級
脂肪族炭化水素基、Ｒ5は炭素数３〜６の二価の脂肪族炭化水素基である。Ｒ2は水素また
は不活性な一価の有機基であるが、好ましくは、炭素数１〜４の一価の炭化水素基である
。ａ、ｂ、ｃ、ｄは０〜２００の整数であるが、好ましくは１〜５０であり、ｅは０また
は１である。ｍおよびｎは０〜２の整数であるが、好ましくは０である。ｐは１以上の整
数であり、好ましくは１〜１０の整数である。また、分子量は５×１０2〜１×１０5であ
るが、好ましくは５×１０2〜１×１０4である。
【００３３】
また、上記一般式（１）で示される含フッ素シラン化合物の好ましい構造のものとして
、下記一般式（２）で示されるものが挙げられる。
【００３４】
【化３】
2008044133.tif 000005
上記式中、Ｙは水素または低級アルキル基、Ｒ1は加水分解可能な基、ｑは１〜５０の
整数を、ｍは０〜２の整数、ｒは１〜１０の整数を表す。
【００３５】
上記含フッ素シラン化合物を用いて基板１１上に撥水防汚層１３を形成するには、上記
含フッ素シラン化合物を有機溶剤に溶解し、光学物品表面に塗布する方法を採用すること
ができる。塗布方法としては、ディッピング法、スピンコート法、スプレー法、フロー法
、ドクターブレード法、ロールコート塗装、グラビアコート塗装、カーテンフロー塗装、
刷毛塗り等が用いられる。有機溶剤としては、パーフルオロヘキサン、パーフルオロシク
ロブタン、パーフルオロオクタン、パーフルオロデカン、パーフルオロメチルシクロヘキ
サン、パーフルオロ−１，３−ジメチルシクロヘキサン等が挙げられる。
また、基板１１上への撥水防汚層１３の形成には、真空蒸着法を用いて成膜することも
できる。
【００３６】
有機溶剤で希釈するときの濃度は、０．０３〜１ｗｔ％の範囲が好ましい。濃度が低す
ぎると十分な厚さの防汚層の形成が困難であり、十分な防汚効果が得られない場合があり
、一方、濃すぎると防汚層が厚くなり過ぎるおそれがあり、塗布後塗りむらをなくすため
のリンス作業の負担が増すおそれがある。
【００３７】
撥水防汚層１３の膜厚は、特に限定されないが、０．００１〜０．５μｍが好ましい。
なお好ましくは０．００１〜０．０３μｍである。撥水防汚層１３の膜厚が薄すぎると撥
水防汚効果が乏しくなり、厚すぎると表面がべたつくので好ましくない。また、撥水防汚
層１３を反射防止層１２の表面に設けた場合には、撥水防汚層１３の厚さが０．０３μｍ
より厚くなると反射防止効果が低下するため好ましくない。
【００３８】
カバー部材１０は、基板１１の装着面１１ｂが図中の想像線（二点鎖線）で示す被装着
部１５に接着剤１６などを用いて行われる接続によって装着される。なお、この装着面１
１ｂは、基板の表面１１ａと表裏の関係をなしている。この接続によって接着剤１６の平
面視内側に形成される空間は、水密性が確保される。
【００３９】
上述の第一実施形態のカバー部材１０によれば、基板１１の表面１１ａ側に形成された
撥水防汚層１３によって付着した水や水滴などが撥水されるため、水や水滴による光の透
過が阻害されることを防止することが可能となる。さらに、装着面１１ｂには、撥水防汚
層１３が形成されていないためカバー部材１０が装着される被装着部１５との接合が確実
に行われ、高い水密性を得ることが可能となる。
（第二実施形態）
【００４０】
本発明の光学物品としてのカバー部材の第二実施形態を図２に沿って説明する。なお、
前述の第一実施形態と同じ構成部分については、図２でも同じ符号を用い詳細な説明を省
略する。
【００４１】
図２に示すように、第二実施形態としてのカバー部材２０は、光透過性を有する基板１
１、反射防止層１２、撥水防汚層１３、および光透過防止層１４によって構成されている
。
【００４２】
基板１１は、光を透過することができるように形成された無機ガラスが用いられている
。基板１１の表面１１ａには反射防止層１２が形成されている。反射防止層１２の上面に
は、撥水防汚層１３が形成されている。基板１１の表面１１ａと表裏の関係をなす装着面
１１ｂには、中央部に略円形の貫通孔１８が設けられた光透過防止層１４が形成されてい
る。光透過防止層１４は、光の透過を防止するために用いられる。つまり、表面１１ａ側
から基板１１を視認した時、貫通孔１８の部分は先方まで視認可能であるが、光透過防止
層１４が形成された部分は、この光透過防止層１４によって遮られて先方を視認すること
ができない。
【００４３】
光透過防止層１４は、黒色インクなどの樹脂をマスク印刷法を用い塗布した後乾燥固化
することによって形成する。光透過防止層１４の厚さは、光が透過しない厚さを有してい
ればよい。なお、光透過防止層１４は、例えば、アルミ、ニッケル、クロムなど光を透過
しない金属薄膜を真空蒸着法などによって形成することも可能である。
【００４４】
カバー部材２０は、基板１１の装着面１１ｂに形成された光透過防止層１４が図中の想
像線（二点鎖線）で示す被装着部１５に接着剤１６などを用いて行われる接続によって装
着される。なお、この装着面１１ｂは、基板の表面１１ａと表裏の関係をなしている。こ
の接着剤１６は、光透過防止層１４の外周付近を周状となるように塗布されており、この
接続によって接着剤１６の平面視内側に形成される空間は、水密性が確保される。
【００４５】
上述の第二実施形態のカバー部材２０によれば、基板１１の表面１１ａ側に形成された
撥水防汚層１３によって付着した水や水滴などが撥水されるため、水や水滴による光の透
過が阻害されることを防止することが可能となる。さらに、装着面１１ｂには、撥水防汚
層１３が形成されていないためカバー部材２０が装着される被装着部１５との接合が確実
に行われ、高い水密性を得ることが可能となる。加えて、基板１１の光透過部分を囲むよ
うに装着面１１ｂに光透過防止層１４が形成されているため、カバー部材２０の装着部に
おける接着剤１６の固化形状などのばらつきが表面１１ａ側から視認できないため、見栄
えを向上させることが可能となる。
（第三実施形態）
【００４６】
本発明の光学物品としてのカバー部材の第三実施形態を図３に沿って説明する。なお、
前述の第一実施形態と同じ構成部分については、図３でも同じ符号を用い詳細な説明を省
略する。
【００４７】
図３に示すように、第三実施形態としてのカバー部材２５は、光透過性を有する基板１
１、反射防止層１２、撥水防汚層１３、光透過防止層１４、および防曇層１７によって構
成されている。
【００４８】
基板１１は、光を透過することができるように形成された無機ガラスが用いられている
。基板１１の表面１１ａには反射防止層１２が形成されている。この反射防止層１２の上
面には、撥水防汚層１３が形成されている。基板１１の表面１１ａと表裏の関係をなす装
着面１１ｂには、中央部に略円形の貫通孔１８が設けられた光透過防止層１４が形成され
ている。貫通孔１８の内側となる装着面１１ｂには、防曇層１７が形成されている。この
防曇層１７は、カバー部材２５が被装着部（図示せず）に装着された際、水分の浸入など
によって生じる装着面１１ｂの露出部分の結露、曇りを防止するための、所謂防曇処理層
である。
【００４９】
上述の第三実施形態のカバー部材２５によれば、基板１１の装着面１１ｂが露出してい
る部分に防曇処理層としての防曇層１７が設けられている。これにより、前述の第一実施
形態および第二実施形態の効果に加えて、カバー部材２５が被装着部（図示せず）に装着
された際に、温度変化などによって装着面１１ｂの露出部分に生じる結露現象、いわゆる
曇りを防止することが可能となる。従って、常に光の透過が適切に行われ、視認する像、
或いは撮像画像の歪み、乱れなどの不具合の発生を防止することが可能となる。
【００５０】
なお、前述の第一実施形態から第三実施形態の説明では、基板１１と撥水防汚層１３と
の間に反射防止層１２を設ける構成で説明したが、反射防止層１２を設けない構成でもよ
い。基板１１の表面１１ａに直接撥水防汚層１３を形成しても同様な効果を有している。
【００５１】
次に、前述の第一実施形態から第三実施形態で説明したカバー部材を用いた種々の機器
の構成例について図４、図５、図６を用いて説明する。
【００５２】
先ず、図４を用い、カバー部材が装着された撮像機器の一例としての静止画の撮影を行
うデジタルスチールカメラの構成について説明する。図４は、デジタルスチールカメラを
模式的に示し、（ａ）は斜視図、（ｂ）はレンズなどを含む光学系部分の断面図である。
【００５３】
図４に示すように、デジタルスチールカメラ３０の光学系３１の最外部にカバー部材３
２が設けられている。光学系３１には、レンズ３８、レンズを保持するレンズホルダ３９
およびカバー部材３２の被装着部としての筐体３６などが含まれる。カバー部材３２は、
光透過性を有する基板３３の外側に露出する側の表面に撥水防汚層３４が形成されており
、その表面と表裏の関係の装着面に光透過防止層３５が形成され、この光透過防止層３５
面上で筐体３６に接着剤３７などの接合材で接続されている。この接着剤３７は、光の透
過する部分を囲むように周状に設けられており、それにより、レンズ３８の表面、カバー
部材３２の装着面などを含む空間の水密性が確保されることになる。
【００５４】
本事例のデジタルスチールカメラ３０によれば、レンズ３８などの光学系３１にカバー
部材３２が装着されている。このカバー部材３２に形成された撥水防汚層３４による高い
撥水防汚性により、カバー部材３２に付着した水や水滴などが除去されるため、水や水滴
などの写り込みを防止することができる。
また、カバー部材３２の接続が、撥水防汚層３４の形成されていない光透過防止層３５
面上で筐体３６と行われているため確実強固に接続され、より高い水密性を得ることが可
能となる。従って、レンズ３８などの光学系３１への結露などを防止することが可能とな
る。
また、光透過防止層３５が形成されているため、接着剤３７の付着部分を使用者が視認
できない。接着剤３７の塗布は、その性質上均一に行うことが難しく、ばらつきを生じる
ことが多いため、この部分を不可視とすることで好適な見栄えを得ることができる。
本事例によれば、上述の効果を有するデジタルスチールカメラ３０を提供することが可
能である。
【００５５】
なお、前述では撮像機器の一例としてデジタルスチールカメラを用いて説明したが、こ
れに限らない。例えば、防犯カメラ、ビデオカメラ、望遠鏡、双眼鏡などでもよく、特に
雨水の付着する頻度の高い屋外使用機器では、付着した雨水などがカバー部材３２に形成
された撥水防汚層３４によって弾かれてしまうため水や水滴の写り込み防止により顕著な
効果を有している。
【００５６】
次に、図５を用い、カバー部材が装着された電子機器の一例としての携帯電話の構成に
ついて説明する。図５は、携帯電話を模式的に示し、（ａ）は斜視図、（ｂ）は表示部の
断面図である。
【００５７】
図５に示すように、携帯電話５０は、その表示部５７の外表面に露出するカバー部材５
１が設けられている。
カバー部材５１は、光透過性を有する基板５２の外側に露出する側の表面に撥水防汚層
５３が形成されており、その表面と表裏の関係の装着面に光透過防止層５４が形成され、
この光透過防止層５４面上で被装着部であるケース体５６に接着剤５５などの接合材で接
続されている。
この接着剤５５は、表示部５７の外周（ケース体５６の窓開け部）を囲むように周状に
設けられており、それにより、表示部５７の表面、カバー部材５１の装着面などを含む空
間の水密性が確保されることになる。
【００５８】
本事例の携帯電話５０によれば、表示部５７にカバー部材５１が装着されている。この
カバー部材５１に形成された撥水防汚層５３による高い撥水防汚性により、カバー部材５
１に付着した水や水滴などが除去されるため、水や水滴などによる画像の歪みなどを防止
し、好適な画像の視認性を提供することが可能となる。
また、カバー部材５１の接続が、撥水防汚層５３の形成されていない光透過防止層５４
面上でケース体５６と行われているため確実強固に接続され、より高い水密性を得ること
が可能となる。従って、表示部５７などへの結露などを防止することが可能となる。
また、光透過防止層５４が形成されているため、接着剤５５の付着部分を使用者が視認
できない。接着剤５５の塗布は、均一に行うことが難しくばらつきを生じることが多いた
め、この部分を不可視とすることで好適な見栄えを得ることができる。
本事例によれば、上述の効果を有する電子機器としての携帯電話５０を提供することが
可能である。
【００５９】
なお、前述では電子機器の一例として携帯電話を用いて説明したが、これに限らない。
例えば、ナビゲーション、ゲーム機器、音響機器などの表示部に用いてもよく、特に雨水
の付着する頻度の高い携帯機器では、付着した雨水などがカバー部材５１に形成された撥
水防汚層５３によって弾かれてしまうため、水や水滴による画像の視認歪みなどの防止に
、より顕著な効果を有している。
【００６０】
次に、図６を用い、カバー部材が装着された計時機器の一例としての腕時計の構成につ
いて説明する。図６は、腕時計を模式的に示し、（ａ）は正面図、（ｂ）は計時表示部の
断面図である。図６に示すように、腕時計７０は、針６７などを有する計時表示部６８の
外表面に露出するカバー部材６１が設けられている。カバー部材６１は、光透過性を有す
る基板６２の外側に露出する側の表面に撥水防汚層６３が形成されており、その表面と表
裏の関係の装着面に光透過防止層６４が形成され、この光透過防止層６４面上で被装着部
であるケース６６に接着剤６５などの接合材で接続されている。この接着剤６５は、計時
表示部６８の外周を囲むように周状に設けられており、それにより、計時表示部６８の表
面、カバー部材６１の装着面などを含む空間の水密性が確保されることになる。
【００６１】
本事例の腕時計７０によれば、計時表示部６８にカバー部材６１が装着されている。こ
のカバー部材６１に形成された撥水防汚層６３による高い撥水防汚性により、カバー部材
６１に付着した水や水滴などが除去されるため、水や水滴などによる画像の歪みなどを防
止し、好適な計時表示の視認性を得ることができる。
また、撥水防汚層６３の形成されていない光透過防止層６４面上で、カバー部材６１の
接続がケース６６と行われているため確実強固に接続され、より高い水密性を得ることが
可能となる。従って、計時表示部６８、基板６２の装着面などへの結露などを防止するこ
とが可能となる。
また、光透過防止層６４が形成されているため、接着剤６５の付着部分を使用者が視認
できない。接着剤６５の塗布は、均一に行うことが難しくばらつきを生じることが多いた
め、この部分を不可視とすることで好適な見栄えを得ることができる。
本事例によれば、上述の効果を有する計時機器としての腕時計７０を提供することが可
能である。
【００６２】
なお、前述では計時機器の一例として腕時計７０を用いて説明したが、これに限らない
。例えば、海水中で使用し海水の付着する頻度の高いダイバーウォッチ、屋外での使用に
より雨水などの水や水滴の付着の多いストップウォッチなどでもよく、水や水滴による計
時表示の歪みなどを防止し、好適な計時表示の視認性を提供することが可能となる。
【図面の簡単な説明】
【００６３】
【図１】本発明のカバー部材の第一実施形態の概略構造を示す正断面図。
【図２】本発明のカバー部材の第二実施形態の概略構造を示す図であり、（ａ）は正断面図、（ｂ）は底面図。
【図３】本発明のカバー部材の第三実施形態の概略構造を示す正断面図。
【図４】本発明のカバー部材が装着された撮像機器の一例としてのデジタルスチールカメラの構成を模式的に示し、（ａ）は斜視図、（ｂ）はレンズなどを含む光学系部分の断面図。
【図５】本発明のカバー部材が装着された電子機器の一例としての携帯電話の構成を模式的に示し、（ａ）は斜視図、（ｂ）は表示部の断面図。
【図６】本発明のカバー部材が装着された計時機器の一例としての腕時計の構成を模式的に示し、（ａ）は正面図、（ｂ）は計時表示部の断面図。
【符号の説明】
【００６４】
１０，２０，２５，３２，５１，６１…光学物品としてのカバー部材、１１，３３，５
２，６２…基板、１１ａ…表面、１１ｂ…装着面、１２…反射防止層、１３，３４，５３
，６３…撥水防汚層、１４，３５，５４，６４…光透過防止層、１５…被装着部、１６，
３７，５５，６５…接着剤、１７…防曇層、１８…貫通孔、３０…撮像機器としてのデジ
タルスチールカメラ、３１…光学系、３６…被装着部としての筐体、３８…レンズ、３９
…レンズホルダ、５０…電子機器としての携帯電話、５６…被装着部としてのケース体、
５７…表示部、６６…被装着部としてのケース、６７…針、７０…計時機器としての腕時
計。
【図１】
2008044133.tif 000007
【図２】
2008044133.tif 000008
【図３】
2008044133.tif 000009
【図４】
2008044133.tif 000010
【図５】
2008044133.tif 000011
【図６】
2008044133.tif 000012